(57)【要約】【課題】プラスティック容器に封入された、コーヒー一杯分用のクリームをコーヒーカップに移す際、左手の指でクリームの容器を支えながら、右手でシールを剥がした瞬間、クリームが飛び出すことがある。【解決手段】主としてコーヒー１カップ分用クリーム容器のシールを剥がす際、クリーム容器を支える力によって、クリーム容器の内容積が増えるよう、クリーム容器の形状を円形から楕円形に改善する。【選択図】図１
2010173737.tif 000002
【特許請求の範囲】
【請求項１】
主として｛クリームまたはシロップまたはドレッシングや水｝などの液状の内容物を内容物とし、
飲食一回分の内容物が入った容器を小容器とし、
小容器の口に貼られているシールをシールとし、
小容器の口の端面に平行な切り口面の形状を容器断面形状とし、
容器断面形状の細かい部分がジグザグ形状になっている場合は｛ジグザグ形状の最も外側の山のスプライン線｝の形状を容器断面形状とし、
容器断面形状が｛楕円形またはそれらに類似した形状｝であることを第１の特徴とし、
容器断面形状が｛長径と短径を有する形状｝であって、かつ、長径の軸にそって小容器に力を加えた場合、｛長径が小さくなり、かつ、短径が大きくなる｝よう、小容器の断面形状が変形する容器断面形状であることを第２の特徴とし、
上記（第１または第２）の特徴を有する｛シールで蓋された小容器｝。
【請求項２】
小容器の｛底面の断面｝から｛口面の断面｝に至る部分の一部分が上記請求項１の｛第１または第２｝の特徴を有することを第３の特徴とする｛シールで蓋された小容器｝。
【請求項３】
上記請求項｛１または２｝に定義する、断面形状が｛楕円形またはそれらに類似した形状｝の小容器の長径軸に添って、小容器の内面にカギ型のロック機構を設けることを第４の特徴とし、
｛｛小容器の長径軸｝に添って力が加わることで長径軸が小さくなった状態｝で、ロック状態となり、｛上記、カギ型のロック機構｝が、｛小さくなった長径軸が元の状態に戻らなくなる構造｝であることを第５の特徴とし、
上記｛第４と第５｝の特徴を有する｛シールで蓋された小容器｝。
【請求項４】
上記請求項｛１または２または３｝の小容器において、
｛｛断面形状の長径方向に力を加えて小容器を支えた状態｝で、｛シールを剥がす｝ことによって、｛シールが剥がれた瞬間｝に｛容器の内容物が飛び出ることを防ぐ｝｝ということを示唆する内容の説明が、いずれかの場所に記載されていることを第６の特徴とする｛シールで蓋された小容器｝。
【発明の詳細な説明】
【用語の定義】
【０００１】請求項を含む全文を通じ、｛｝内部の内容は｛｝の外の内容に優先して意味を持つものとする。
【技術分野】
【０００２】主として｛飲食１回分の液状物の小容器｝の｛製造や液状物｝のプラスティック容器の成形。
【背景技術】
【０００３】
【課題を解決するための手段】
【０００４】主として｛コーヒー１カップ分用クリーム小容器｝のシールを剥がす際、クリーム小容器を支える力によって、クリーム小容器の内容積が増えるよう、クリーム小容器の形状を円形から楕円形に改善する。
小容器のシールを剥がす際、小容器を長径軸に添って支えるよう、説明書きを記載する。
【０００５】［図１］は本案発明の実施例の説明図である。
図１中、中央から上側は小容器のシールを剥がそうとしている状態の一例を示す。
図１中、中央から下側は小容器のシールが剥がれた状態の一例を示す。
１ａは小容器の開口部の断面形状である。上側１ａは楕円形状、下側１ａは円形状であることを示す。１ｂは小容器の短径側面の形状、１ｃは小容器の長径側面の形状を示す。２ａ、２ｂはシールのエッジを示す。３ａ、３ｂはシールを剥がす際、小容器を支える力の方向を示す。
【０００６】｛図１の上側１ａの楕円の周長｝と｛図１の下側１ａの円の周長｝は、同じである。従って、図１の｛上側の｛変形前の小容器の断面形状｝である楕円｝は、楕円の長径軸に添って押される力によって｛断面形状の楕円の扁平度｝が小さくなる方向に変形しようとする。扁平度が小さくなると、断面形状の周長が一定であることから、断面の面積は増え、小容器の内容積が増大する。その結果、｛シールで密閉されている状態の｛小容器の内部の圧力｝｝は低くなる。
従って、シールを剥がそうとして断面形状の長軸方向にそって小容器を指で支えることで、シールが開いた瞬間、小容器は外の空気を吸い込む。その結果、小容器の中のクリームが外へ勢いよく飛び出すことはなくなる。
【０００７】扁平部は小容器全体に設ける必然性はない。部分的に指で支える場所だけ扁平であればそれで充分である。扁平度が楕円から円へ２０％変化すると｛断面形状の面積の増加｝が約５％であることから、小容器の中のクリームが外へ飛び出さない程度の構造としては本案発明の実施例で十分であることがわかる。
【０００８】［図２］は本案発明の実施例の説明図である。
図２の図１と異なる点は、図２は、４ａ、４ｂなるロック機構を小容器の内部に設けている点である。このロック機構は、扁平形状の小容器がシールを剥がすために加えられた力によって、その扁平度が小さくなった状態で、カギ状の先端部が噛み合う。一度噛み合うと、小容器に加わった力がなくなった後も、その構造上、元に戻らなくなる。従って、そのまま扁平度が小さくなった形状を保持する。
図２の構造は図１に比べ、小容器の中のクリームが飛び出る可能性はさらに小さくなる。
【０００９】［図３］は従来の小容器を開けようとするときの様子を示す。
図３中、中央から上側は小容器のシールを剥がそうとしている状態の一例を示す。
図３中、中央から下側は小容器のシールが剥がれた状態の一例を示す。
１ａは小容器の開口部の断面形状である。上側１ａは円形状、下側１ａは楕円形状であることを示す。１ｂは小容器の短径側面の形状、１ｃは小容器の長径側面の形状を示す。２ａ、２ｂはシールのエッジを示す。３ａ、３ｂはシールを剥がす際、小容器を支える力の方向を示す。
【００１０】｛図３の上側１ａの円の周長｝と｛図３の下側１ａの楕円の周長｝は、同じである。従って、図３の｛左側の変形前の小容器の円の断面形状｝は、小容器の側面から押される力によって｛断面形状の扁平度｝が大きくなる方向に変形しようとする。扁平度が大きくなると周長が一定であることから、断面の面積は減る。その結果、｛シールで密閉されている状態の小容器の内部の圧力｝は高くなり、シールが開いた瞬間、突然扁平度が急激に大きくなり、小容器の内部のクリームを外へ勢いよく押し出すことになる。
扁平度が円から楕円へ２０％変化すると断面形状の面積の減少が約５％であることから、断面形状が円形の場合、小容器の中のクリームが外へ飛び出すには十分な構造であることがわかる。
【発明の効果】
【００１１】最も多いのがコーヒーに小容器に入ったクリームを入れる際、シールを剥がす瞬間にクリームが飛び出し洋服にかかったり、テーブルを汚したり、というアクシデントが激減する。
【発明を実施するための最良の形態】
【００１２】｛開口部もしくは底面部もしくは中央部もしくは全体｝の断面形状が楕円形をした小容器
【実施例】
【００１３】飲食一回分の｛コーヒー用クリーム小容器、ドレッシング用小容器、シロップ用小容器｝
【産業上の利用可能性】
【００１４】実施例に同じ
【図面の簡単な説明】
【００１５】
【図１】本案発明の小容器の形状
【図２】本案発明の小容器の形状
【図３】従来の小容器の形状
【図１】
2010173737.tif 000003
【図２】
2010173737.tif 000004
【図３】
2010173737.tif 000005